(57)【特許請求の範囲】
【請求項１】
改良区域の地盤内に貫入された多数の鉛直ドレーン材と、前記改良区域の地表部に敷設され、周縁を前記改良区域の側部に埋込まれて該改良区域の表面を封止する非通気性シート材と、前記地表部上に配管され水平排水材内に埋設される多孔管とを備え、該多孔管を真空吸引ポンプにより吸引する軟弱地盤の改良方法であって、
前記非通気性シート材の裏面に前記水平排水材がラミネートされたラミネートシートを用いて敷設することを特徴とする軟弱地盤の改良方法。
【請求項２】
前記鉛直ドレーン材を敷設した後、前記多孔管を配管し、その後、改良区域の全面に亘って前記ラミネートシートを敷設することを特徴とする請求項１に記載の軟弱地盤の改良方法。
【発明の詳細な説明】
【０００１】
【発明の属する技術分野】
本発明は、例えば鉛直ドレーン材を用いた軟弱地盤の改良方法に関する。
【０００２】
【従来の技術】
軟弱な地盤の改良工法の一つに、ドレーン材を用いた大気圧工法がある。大気圧工法は、縦方向に多数の細孔を形成した塩ビ系、プラスチックあるいは不織布などからなる多数のドレーン材を地盤中に所定間隔で鉛直に貫入し、その毛管現象によって地盤内水分を地表に揚水し、地盤の圧密化を図るものである。
【０００３】
図３は大気圧工法による設備配置例を示すもので、地盤改良区域の地盤Ｅ内に所定間隔で貫入された多数の鉛直ドレーン材１の地表部突出端に交叉して多数の水平ドレーン材２を地表面に敷設し、また、水平ドレーン材２の端部にこれと交叉して多孔管３を配管し、さらに以上の配置作業後、地表面を非通気性シート４で覆うことで、工事区域全面を遮蔽する。また多孔管３の端部はサクションホース５の一端に接続され、サクションホース５の他端は改良区域の外側に配置された真空吸引ポンプ６に接続される。そして、サクションホース５をシート４の端末とともに地盤Ｅ内に埋込んで固定することで、シート４の周縁部は気密に封止される。
【０００４】
以上の準備作業後、真空吸引ポンプ６を作動することにより、地表部とシート４との間に負圧を生じさせ、大気圧を載荷重として地盤中の水分を吸引し、多孔管３およびサクションホース５を通じて改良工事区域外に排水して圧密沈下を促進し、地盤の密度や強度等を改良している。
【０００５】
【発明が解決しようとする課題】
しかしながら、このような従来の軟弱地盤の改良方法においては、水平ドレーン材の敷き並べ作業が終了した後に非通気性シート４を敷設するため、誤って水平ドレーン材２を踏みつけたり、これを足場として作業する際に、その重みで水平ドレーン材２が地盤内にめり込んだり、つぶれて目詰りなどを生ずるため、吸水能力が低減する問題があった。また、非通気性シート４の敷設時にシート４の展開作業により引きずられて配列が乱され、折れ曲ったりよじれることにより、同じく吸水能力が低減するおそれがあった。
【０００６】
本発明は、以上の課題を解決するものであり、踏み圧による吸収能力の低下がなく、また施工準備作業の迅速化を図ることができる軟弱地盤の改良方法を提供するものである。
【０００７】
【課題を解決するための手段】
以上の目的を達成するため、本発明は、改良区域の地盤内に貫入された多数の鉛直ドレーン材と、前記改良区域の地表部に敷設され、周縁を前記改良区域の側部に埋込まれて該改良区域の表面を封止する非通気性シート材と、前記地表部上に配管され水平排水材内に埋設される多孔管とを備え、該多孔管を真空吸引ポンプにより吸引する軟弱地盤の改良方法であって、前記非通気性シート材の裏面に前記水平排水材がラミネートされたラミネートシートを用いて敷設することを特徴とするものである。
この発明において、前記鉛直ドレーン材を敷設した後、前記多孔管を配管し、その後、改良区域の全面に亘って前記ラミネートシートを敷設することが好ましい。
【０００８】
従って、この発明にあっては、非通気性ラミネートシートを敷設するだけの作業により吸引除去作業の準備が出来るため、敷設作業が簡単となり、踏み圧による吸水能力の低下も防止できる。
【０００９】
【発明の実施の形態】
以下、本発明の好ましい実施の形態につき、添付図面を参照して詳細に説明する。なお、従来と同一部分には同一符号を付し、異なる箇所、あるいは新たに付加される部分についてのみ異なる符号を用いて説明する。
【００１０】
図１は本発明にかかる設備配置の全体的構成例を示し、図２はその要部を拡大して示す断面斜視図である。
【００１１】
図において、地盤改良区域の地盤Ｅ内には所定間隔で多数の鉛直ドレーン材１が貫入され、この貫入作業後は地表部には多孔管３が配管される。なお、図においては一本の多孔管３のみが示されているが、実際には複数の多孔管３が配置されることは言うまでもない。
【００１２】
その後、改良区域の全面に亘って、本発明にかかるラミネートシート１０が敷設される。ラミネートシート１０は、図２に拡大して示すように、非通気性シート材１２の裏面に所定厚みの水平排水材１４を全面（または一部）にラミネートしたものが用いられる。非通気性シート材１２の材料としては、遮水シートなどに用いられる塩ビ系シートやゴムシートなどから構成される。また、水平排水材１４に用いられる材料としては、自立性があり、早期目詰りを生じない連続気泡性多孔質素材などから構成される。
【００１３】
非通気性シート材１２と水平排水材１４とは工場などで予め一体にラミネートされ、ロール状に巻回した状態で現場まで搬送される。但し、シート１０の端縁は、所定の埋設しろ１２ａ分だけ非通気性シート材１２単体で構成され、この埋設しろ１２ａの部分が改良区域側部に埋設されることになる。従って、このラミネートシート１０の敷設作業は、埋設しろ１２ａの部分から、改良区域内に向けてその長手方向に順次展張するだけの作業によって、一面に敷設できる。
【００１４】
なお、幅方向で隣合うシート１０同士は、同一の展張作業を行った後、その接合縁を溶着などにより密封処理することで、幅方向接合縁の気密性も確保される。
【００１５】
このとき、作業員はラミネートシート１０上に乗ることになるが、水平排水材１４の弾力性により、踏み圧が加わっても直ちに弾性復帰するため、踏んだ部分の通気性が阻害されることはなく、また土壌にめり込んだとしても、部分的であり、全体の通気性の妨げとはならない。
【００１６】
最終的には、多孔管３の端部をサクションホース５に接続し、改良区域の側部を破線図示のごとく掘削し、サクションホース５とシート材１２の埋設しろ１２ａ共々溝内にＵ字状に埋込み、掘削土砂で埋め戻すことにより、シート１０内は気密に封止される。そして、ホース５の他端部を図示しない気水分離器などを介して真空吸引ポンプ６に接続すれば、排水の準備作業が終了する。
【００１７】
その後は、真空吸引ポンプ６を駆動することによって、地表面とラミネートシート１０との間に負圧を生じさせ、鉛直ドレーン材１を通じて地下水が揚水され、水平排水材１４に吸水されると同時に、地盤内の水はサクションホース５を通じてポンプ６側に吸引され、改良工事区域外に排出される。
【００１８】
また図においては、真空吸引ポンプ６を一つのみとしているが、実際には改良区域が広域であれば、その能力に応じて複数増設し、シート４同士の接合端の密封処理を十分行うことにより、改良区域が広域であっても良好な水抜きを行なうことができることは勿論である。
【００１９】
【発明の効果】
以上の説明により明らかなように、本発明による軟弱地盤の改良方法によれば、従来に比べて、踏み圧による吸水能力の低下がなく、作業能率の向上を図る上で好適である。また、シートを展張するだけの作業で良いため、施工準備作業の迅速化を図ることが出来る。
【図面の簡単な説明】
【図１】本発明方法による設備配置の全体的構成例を示す説明用断面図である。
【図２】図１Ａ矢視部分における要部拡大断面斜視図である。
【図３】従来の地盤改良工法における設備配置の構成例を示す説明用断面図である。
【符号の説明】
１  鉛直ドレーン材
５  サクションホース
６  真空吸引ポンプ
１０  ラミネートシート
１２  非通気性シート材
１２ａ  埋設しろ
１４  水平排水材
【図１】
0003589050.tif 000002
【図２】
0003589050.tif 000003
【図３】
0003589050.tif 000004